(57)【要約】【課題】無線通信システムにおける端末間の接続において、接続先の選択を容易にする。【解決手段】携帯電話機１０は、接続確立をしていない４台のＰＤＡ１００ａ〜１００ｄのうち、ＰＤＡ１００ｃに対して通知要求を送信する。通知要求を受けたＰＤＡ１００ｃはＬＥＤランプを点滅させることで通知を行う。ＬＥＤランプの点滅を視認したユーザは、携帯電話機１０の画面３０ｄ内に表示された選択肢が現実にどのＰＤＡに対応しているかを把握でき、接続確立の対象の判断材料として利用できる。【選択図】図９
2010011064.tif 000002
【特許請求の範囲】
【請求項１】
無線通信を行う通信手段と、
前記通信手段による無線通信が可能な無線通信端末を探索する探索手段と、
前記探索手段により探索された無線通信端末を示す選択肢を少なくとも１つ表示する表示手段と、
前記表示手段に表示された選択肢のうち、少なくとも１つの選択肢の選択をユーザから受け付ける第1選択受付手段と、
前記第1選択受付手段により選択肢の選択を受け付けた場合に、選択された選択肢に示される無線通信端末が備える通知手段のうち少なくとも１つを通知させるための通知要求情報を生成する通知要求生成手段と、
前記通知要求生成手段により生成された通知要求情報を前記選択肢に示される無線通信端末に前記通信手段を介して送信させる送信制御手段と、
を備えることを特徴とする無線通信端末。
【請求項２】
前記第1選択受付手段により選択肢の選択を受け付けた場合に、選択された選択肢に示される無線通信端末に対応する複数の通知方法を表示する通知方法表示手段と、
前記通知方法表示手段により表示された複数の通知方法のうち、少なくとも１つの通知方法の選択をユーザから受け付ける第２選択受付手段と、を備え、
前記通知要求生成手段は、前記第２選択受付手段により受け付けた通知方法に基づいて前記通知要求情報を生成する
ことを特徴とする請求項１に記載の無線通信端末。
【請求項３】
前記通知方法表示手段が表示する前記通知方法は、音、ランプ、振動または画面表示のうちの少なくとも１つであることを特徴とする請求項２に記載の無線通信端末。
【請求項４】
前記表示手段に表示された選択肢のうち、１つの選択肢について所定の操作を受け付けると、受け付けた選択肢に示される無線通信端末との間で、前記通信手段による無線通信のための接続の確立を試みる接続手段を備える
ことを特徴とする請求項１に記載の無線通信端末。
【請求項５】
第１無線通信端末と、複数の第２無線通信端末とから構成され、
第１無線通信端末は、
無線通信接続可能な第２無線通信端末を探索する探索手段と、
探索された第２無線通信端末に対して、通知させるための通知要求情報を送信する送信手段とを備え、
第２無線通信端末は、前記通知要求情報を受信した場合に、受信したことをユーザに通知をする通知手段を備える
ことを特徴とする無線通信システム。
【請求項６】
前記第１無線通信端末は、
さらに、前記探索手段により探索された各第２無線通信端末を示す選択肢を少なくとも１つ表示する表示手段と、
前記表示手段により表示された選択肢のうち、少なくとも１つの選択肢の選択をユーザから受け付ける受付手段とを備え、
前記送信手段は、前記受付手段が選択を受け付けた選択肢に対応する第２無線通信端末に対して前記送信を行う
ことを特徴とする請求項５に記載の無線通信システム。
【請求項７】
前記第２無線通信端末は表示手段を備え、
前記通知手段は、第１無線通信端末から前記通知要求情報を受信した旨と、第１無線通信端末相手の接続確立許可不許可の選択のユーザ受け付けを含む画面を前記第２無線通信端末における表示手段に表示させることで前記通知を行い、
前記第２無線通信端末は、前記画面において接続確立不許可との選択を受け付けると、通信不許可である旨を示す接続確立不許可情報を第１無線通信端末へと送信する送信手段を備え、
前記第１無線通信端末が前記接続確立不許可情報を受信すると、前記第１無線通信端末の表示手段は、前記受信先の第２無線通信端末を示す選択肢の表示を抑制する
ことを特徴とする請求項６に記載の無線通信システム。
【請求項８】
前記受付手段が、表示された選択肢の一覧のうちの１つの選択肢について所定の操作を受け付けると、受け付けた選択肢に示される第２無線通信端末との間での無線通信接続の確立を試みる接続手段を備える
ことを特徴とする請求項６に記載の無線通信システム。
【請求項９】
前記第２無線通信端末は、前記通知要求情報を受信すると、自己を識別するための識別情報を前記第１無線通信端末へと送信する識別情報送信手段を備え、
前記第１無線通信端末が前記識別情報を受信すると、前記表示手段は、前記送信先の第２無線通信端末を示した選択肢の表示内容を、前記識別情報に基づいて変更する
ことを特徴とする請求項６に記載の無線通信システム。
【請求項１０】
前記受付手段は、選択を受け付けた選択肢に示される第２無線通信端末に対応する通知方法の指定を受け付け、
前記送信手段が送信する前記通知要求情報は、指定を受け付けた通知方法を示す通知方法情報を含み、
前記通知手段は、前記通知方法情報に示される通知方法により前記通知を行うことを特徴とする請求項６に記載の無線通信システム。
【請求項１１】
前記受付手段が受け付ける通知方法は、音、ランプ、振動または画面表示のうちの少なくとも１つであることを特徴とする請求項１０に記載の無線通信システム。
【請求項１２】
前記送信手段が送信する通知要求情報は、通知方法を示す通知方法情報を含み、
前記第１無線通信端末は、さらに、前記探索手段により探索された各第２無線通信端末を示し、かつ前記送信手段が送信する通知方法を示す選択肢を表示する表示手段を備える
ことを特徴とする請求項５に記載の無線通信システム。
【発明の詳細な説明】
【技術分野】
【０００１】
本発明は、無線通信端末、無線通信システムに関し、特に無線通信接続する端末を選択する際の技術に関する。
【背景技術】
【０００２】
近年、情報端末や携帯機器において無線通信技術としてBluetooth（登録商標）が広く普及している。
Bluetoothを利用した接続方法の大まかな流れは、（１）マスタ（接続確立要求を発行する側の端末）側において、接続できるスレーブ（接続確立要求を受ける側の端末）を探索する（２）マスタにおいて、探索されたスレーブを一覧表示してユーザから選択を受け付ける（３）選択を受け付けたスレーブに対して接続要求を送信して接続を確立する、というものである。
【０００３】
Bluetoothによれば、10ｍから100ｍ程度の範囲で通信が可能であるので、マスタ側の探索で複数のスレーブが発見されることがある。このため、探索で見つかるスレーブの数が多くなると、ユーザはその中から接続を所望するスレーブを選択する作業負担が増大する。
これに関して、接続先の選択を容易にするために、各端末のニックネームを取得して、上記一覧表示に用いる手法が従来からある。
【特許文献１】特開2002-291039号公報
【発明の開示】
【発明が解決しようとする課題】
【０００４】
しかしながら、現実には、ユーザは各スレーブのニックネームを設定していない場合も多い。
この場合、例えば、端末の型番がメーカにより初期設定のニックネームとして設定されていることが往々にしてあり、型番を上記一覧表示として用いると、特に端末の型番に精通していないユーザからすると、意味不明な文字列に映り端末の選択は困難であると考えられる。
【０００５】
また、同一のニックネームを持つスレーブが複数ある場合にも、上記一覧表示として用いると、端末の見分けるための判断材料としては役立たないと考えられる。
係る問題は、Bluetoothを利用した通信に限らず他の方式による無線通信においても同様に生じ得る問題である。
本発明は上述の課題に鑑みてなされたものであって、無線通信接続に際して、接続未確立な探索された複数の端末について、ユーザが容易に端末を識別できる無線通信端末、無線通信システムを提供することを目的としている。
【課題を解決するための手段】
【０００６】
本発明に係る無線通信端末は、無線通信を行う通信手段と、前記通信手段による無線通信が可能な無線通信端末を探索する探索手段と、前記探索手段により探索された無線通信端末を示す選択肢を少なくとも１つ表示する表示手段と、前記表示手段に表示された選択肢のうち、少なくとも１つの選択肢の選択をユーザから受け付ける第1選択受付手段と、前記第1選択受付手段により選択肢の選択を受け付けた場合に、選択された選択肢に示される無線通信端末が備える通知手段のうち少なくとも１つに対するユーザへの通知の要求を示す通知要求情報を生成する通知要求生成手段と、前記通知要求生成手段により生成された通知要求情報を前記選択肢に示される無線通信端末に前記通信手段を介して送信させる送信制御手段と、を備えることを特徴としている。
【０００７】
また、前記第1選択受付手段により選択肢の選択を受け付けた場合に、選択された選択肢に示される無線通信端末に対応する複数の通知方法を表示する通知方法表示手段と、前記通知方法表示手段により表示された複数の通知方法のうち、少なくとも１つの通知方法の選択をユーザから受け付ける第２選択受付手段と、を備え、前記通知要求生成手段は、前記第２選択受付手段により受け付けた通知方法に基づいて前記通知要求情報を生成するとしても構わない。
【０００８】
また、前記通知方法表示手段が表示する前記通知方法は、音、ランプ、振動または画面表示のうちの少なくとも１つであるとしても構わない。
また、前記表示手段に表示された選択肢のうち、１つの選択肢について所定の操作を受け付けると、受け付けた選択肢に示される無線通信端末との間で、前記通信手段による無線通信のための接続の確立を試みる接続手段を備えるとしても構わない。
【０００９】
本発明に係る無線通信システムは、第１無線通信端末と、複数の第２無線通信端末とから構成され、第１無線通信端末は、無線通信接続可能な第２無線通信端末を探索する探索手段と、探索された第２無線通信端末に対して、通知させるための通知要求情報を送信する送信手段とを備え、第２無線通信端末は、前記通知要求情報を受信した場合に、受信したことをユーザに通知をする通知手段を備えることを特徴としている。
【００１０】
また、前記第１無線通信端末は、さらに、前記探索手段により探索された各第２無線通信端末を示す選択肢を少なくとも１つ表示する表示手段と、前記表示手段により表示された選択肢のうち、少なくとも１つの選択肢の選択をユーザから受け付ける受付手段とを備え、前記送信手段は、前記受付手段が選択を受け付けた選択肢に対応する第２無線通信端末に対して前記送信を行うとしても構わない。
【００１１】
前記第２無線通信端末は表示手段を備え、前記通知手段は、第１無線通信端末から前記通知要求情報を受信した旨と、第１無線通信端末相手の接続確立許可不許可の選択のユーザ受け付けを含む画面を前記第２無線通信端末における表示手段に表示させることで前記通知を行い、前記第２無線通信端末は、前記画面において接続確立不許可との選択を受け付けると、通信不許可である旨を示す接続確立不許可情報を第１無線通信端末へと送信する送信手段を備え、前記第１無線通信端末が前記接続確立不許可情報を受信すると、前記第１無線通信端末の表示手段は、前記受信先の第２無線通信端末を示す選択肢の表示を抑制するとしても構わない。
【００１２】
また、前記受付手段が、表示された選択肢の一覧のうちの１つの選択肢について所定の操作を受け付けると、受け付けた選択肢に示される第２無線通信端末との間での無線通信接続の確立を試みる接続手段を備えるとしても構わない。
前記第２無線通信端末は、前記通知要求情報を受信すると、自己を識別するための識別情報を前記第１無線通信端末へと送信する識別情報送信手段を備え、前記第１無線通信端末が前記識別情報を受信すると、前記表示手段は、前記送信先の第２無線通信端末を示した選択肢の表示内容を、前記識別情報に基づいて変更するとしても構わない。
【００１３】
また、前記受付手段は、選択を受け付けた選択肢に示される第２無線通信端末に対応する通知方法の指定を受け付け、前記送信手段が送信する前記通知要求情報は、指定を受け付けた通知方法を示す通知方法情報を含み、前記通知手段は、前記通知方法情報に示される通知方法により前記通知を行うとしても構わない。
前記受付手段が受け付ける通知方法は、音、ランプ、振動または画面表示のうちの少なくとも１つであるとしても構わない。
【００１４】
また、前記送信手段が送信する通知要求情報は、通知方法を示す通知方法情報を含み、前記第１無線通信端末は、さらに、前記探索手段により探索された各第２無線通信端末を示し、かつ前記送信手段が送信する通知方法を示す選択肢を表示する表示手段を備えるとしても構わない。
【発明の効果】
【００１５】
本発明に係る無線通信端末によれば、通知要求生成手段は、第１選択受付手段が受け付けた選択肢に示される無線通信端末が備える通知手段を通知させるための通知要求情報を生成し、送信制御手段は、生成された通知要求情報を前記選択肢に示される無線通信端末に送信させるため、送信先の無線通信端末において通知を実現することができ、表示手段が表示しユーザから選択を受け付けた選択肢に対応する端末が現実にどの端末であるかをユーザに知らせることができる。
【００１６】
また、本発明に係る無線通信システムによれば、第１無線通信端末の送信手段は、探索された第２無線通信端末に対して通知させるための通知要求情報を送信し、第２無線通信端末の通知手段はこの通知要求情報を受信した場合に通知を行う。
この構成によれば、通知の要求を示す通知要求情報の送り先の第２無線通信端末にユーザ通知を行わせることで、通知要求情報を送信した第２無線通信端末が現実にどの端末であるかをユーザに把握させることができる。例えば、第１無線通信端末との間で接続確立する端末選択の判断材料をユーザに提供することができる。
【発明を実施するための最良の形態】
【００１７】
（実施の形態）
＜構成＞
図１は、実施の形態に係る無線通信システムの構成を示す図である。
図１に示すように、無線通信システム１は、携帯電話機１０と、４台のＰＤＡ（Personal Digital Assistant）１００ａ〜１００ｄを含んで構成される。
【００１８】
携帯電話機１０、ＰＤＡ１００ａ〜１００ｄはそれぞれBluetooth（商標）規格に従った無線通信機能を備えている。
以下では、携帯電話機１０は接続確立要求を発行する側のマスタであり、ＰＤＡ１００ａ〜１００ｄは接続確立要求を受ける側のスレーブであるとして説明する。
図１中、円状をした領域２は携帯電話機１０からのBluetoothの無線信号が届く領域を示し、その大きさは半径約10ｍである（出力クラス:Class2）。
【００１９】
図２は、携帯電話機１０の機能ブロック図である。
携帯電話機１０は、通話部１２、操作入力部１４、表示部１６、バッファ１８、無線通信部２０、制御部２８を備えている。
通話部１２は、一般的な携帯電話機に搭載される通信回路などから構成されており、通話機能を実現する。
【００２０】
操作入力部１４は、ハードウェアとして操作キーを含んで構成されており、ユーザから入力を受け付け、受付内容を示す信号を制御部２８に送る。上記操作キーは、一般的な携帯電話機が備える構成であり、テンキー、カーソルキー（選択肢を選ぶための上下左右移動する。）、決定キー（選択を決定する。）などを含んでいる。
表示部１６は、ディスプレイを含んで構成されており、制御部２８から送られる表示制御信号に従い各種表示を行う。
【００２１】
バッファ１８は、ＲＡＭなどから構成され、無線通信部２０が取得した各種情報を一時的に格納し、格納した情報を表示部による表示に供する。
無線通信部２０は、Bluetooth規格による通信機能を実現する機能ブロックである。無線通信部２０は、問い合わせ部２２、名前取得部２４、通知要求部２６を含んでおり、自端末の周辺に存在するスレーブを探索し、探索されたスレーブのうちの１つに対して接続確立要求を送信することで、接続を確立する。なお、２台の端末間で接続を確立することをペアリングと呼ぶ。
【００２２】
Bluetooth通信においては、単につながっているという接続状態（connect）ではデータパケットの送受信が原則行われない。上記接続の確立とは、上記接続状態からデータパケットの送受信が許可されるデータ転送状態（Data Transfer）への移行を意味している。
問い合わせ部２２は、問い合わせ(Inquiry)を示す信号（ＩＱパケット）をブロードキャストする。
【００２３】
そして、問い合わせに応答したスレーブから48ビットのアドレス(Bluetooth Device Address)を取得する。
名前取得部２４は、Bluetoothで規格された手順（Name Discovery）に従って、スレーブにニックネームを要求して取得する。ニックネームは、各スレーブ毎に付けられた名前である。
【００２４】
名前取得部２４は、ニックネームを、問い合わせ部２２が取得したアドレスと対応付けてバッファ１８に格納する。
通知要求送信部２６は、操作入力部１４が受け付けた通知要求先であるスレーブに対して、通知要求を示す信号を送信する。本実施の形態では、通知要求を示す信号としてL2CAP(Logical Link Control and Adaptation Protocol) Echo Request(L2CAP Ping)を送信する。
【００２５】
制御部２８は、ＣＰＵ、ＲＡＭ、ＲＯＭ等のハードウェアから構成されており、ＲＯＭ内に格納された制御プログラムをＣＰＵが実行することで各部の動作を制御する。
図３は、ＰＤＡ１００ａの機能ブロック図である。ＰＤＡ１００ａ〜１００ｄは同様な機能ブロックを有するので、ＰＤＡ１００ａのみを代表させて説明する。
ＰＤＡ１００ａは、ＬＥＤランプ１０２、バイブレータ１０４、操作入力部１０６、表示部１０８、無線通信部１１０、制御部１１８、スピーカ１２０を備えている。
【００２６】
ＬＥＤランプ１０２は、複数色のＬＥＤを含んで構成されており、制御部１１８からの制御信号に基づいて、点消灯を行う。点消灯により着信（例えば、通話着信、メール着信、不在着信など）を報知する。
バイブレータ１０４は、制御部１１８からの制御信号に基づいて、振動する。振動により上記着信を報知する。
【００２７】
スピーカ１２０は、制御部１１８からの制御信号に基づいて、アラーム音やメロディ音を再生する。
操作入力部１０６は、スタイラスペンや指先からの押下を感知するタッチディスプレイから構成されており、ユーザから入力を受け付け、受付内容を示す信号を制御部１１８に送る。
【００２８】
表示部１０８は、上記タッチディスプレイを含んで構成されており、制御部１１８から送られる表示制御信号に従い各種表示を行う。
無線通信部１１０は、問い合わせ応答部１１２、名前取得応答部１１４、通知要求応答部１１６を備える。
問い合わせ応答部１１２は、接続待ち状態において、マスタの問い合わせ部２２からの送信されるＩＱパケットをスキャンする(Inquiry Scan)、ＩＱパケットを受信すると、応答としてＦＨＳ(Frequency Hop Synchronization)パケットをマスタ宛に送信する。このＦＨＳパケットは自端末のアドレスを含んでいる。
【００２９】
名前取得応答部１１４は、マスタの名前取得部２４からの取得要求に応じてニックネームを提供する。
通知要求応答部１１６は、通知要求を示す信号であるL2CAP Echo Requestを受信すると、受信に対応した応答であるL2CAP Echo Responseを返す。なお、このL2CAP Echo Responseに自己を識別する情報を付加しても構わない、詳しくは後述する。
【００３０】
また、通知要求応答部１１６は、L2CAP Echo Requestを受信すると、通知要求の受信を示す信号を制御部1１８に送る。この信号を受けた制御部１１８は、ＬＥＤランプ１０２を所定時間（例えば、10秒間）点滅させる。
図４は、バッファ１８内に格納されたアドレステーブル１９のデータ構造を示す図である。なお、アドレステーブル１９は、セル行の上から順にＰＤＡ１００ａ〜１００ｄに対応しているものとする。
【００３１】
アドレステーブル１９は、「アドレス」１９ａ、「ニックネーム」１９ｂ、「付加情報」１９ｃの項目を含む。
「アドレス」１９ａは各スレーブを識別するときに使用されるアドレスを示す。
「ニックネーム」１９ｂは各スレーブに名付けられた名前である。４台のＰＤＡはいずれもニックネームの設定がなされておらず、デフォルトの型番「Example-12」のままである。これらのニックネームは同一なのでユーザからすると区別ができない状態となっている。
【００３２】
「付加情報」１９ｃは、スレーブの通知要求応答部１１６が送るL2CAP Echo Responseに付加された付加情報を示す。
＜動作＞
図面を参照しつつ本実施の形態に係る無線通信システムを構成する各端末における動作について説明する。
【００３３】
図５は、携帯電話機１０（マスタ側）の動作を示すフローチャートである。
図５に示すように、携帯電話機１０の問い合わせ部２２は自端末の周辺に問い合わせとしてのＩＱパケットを送信し、問い合わせに対する応答であるＦＨＳパケットを取得する（Ｓ１１）。
携帯電話機１０の無線通信部２０は、取得したＦＨＳパケットに含まれるアドレスからＰＤＡ１００ａ〜１００ｄの各アドレスを特定し、名前取得部２４は特定されたＰＤＡ１００ａ〜１００ｄのそれぞれに対して名前取得要求を送信し、ニックネームを取得する（Ｓ１２）。
【００３４】
携帯電話機１０の制御部２８は、ＰＤＡ１００ａ〜１００ｄから取得した４個のニックネームを表示部１６の画面に上下に並べて一覧表示させる（Ｓ１３）。
そして、制御部２８は操作入力部１４を介して、一覧表示したニックネームの選択を受け付ける（Ｓ１４）。
選択の種類には「通知要求」と「接続確立要求」の２種が有る。
【００３５】
「通知要求」の選択受け付けは、例えば、ステップＳ１３で上下に並べて表示した４個のニックネームの中から、操作入力部１４のカーソルキーの上下移動を介して１個の選択状態にあるニックネームを特定して通知要求として受け付ける。ここで制御部２８は、選択状態にあるニックネームは強調表示するなどして非選択のものと区別して表示部１６に表示させる。「通知要求」の選択を受け付けると（Ｓ１４：「通知要求」）、通知要求送信部２６は、バッファ１８内アドレステーブル１９を参照して選択されたニックネームに対応するアドレスを取得して送り先であるスレーブを特定し、当該スレーブ宛に通知要求を示す信号であるL2CAP Echo Requestを送信する（Ｓ１５）。
【００３６】
また、制御部２８は、操作入力部１４を介して、一覧表示したニックネームの中の１個に対する接続確立要求の選択を受け付けると（Ｓ１４：「接続確立要求」）、無線通信部２０は、選択されたニックネームに対応するスレーブ宛に接続確立要求を送信して、接続を確立する（Ｓ１６）。
図６は、ＰＤＡ１００ａ〜１００ｄ（スレーブ側）の動作を示すフローチャートである。４台のＰＤＡ１００ａ〜１００ｄは基本的には同様の動作であるので、まとめて説明する。
【００３７】
図６に示すように、ＰＤＡ１００ａ〜１００ｄは接続待ち状態にある（Ｓ２１）。
ＰＤＡ１００ａ〜１００ｄの問い合わせ応答部１１２は、問い合わせを示すＩＱパケットを受信すると（Ｓ２２：「問い合わせ」）、ＩＱパケットへの応答としてＦＨＳパケットを携帯電話機１０に返信する（Ｓ２３）。
名前取得応答部１１４は、名前取得要求を受信すると（Ｓ２２：「名前取得要求」）、名前要求取得に応答してニックネームを携帯電話機１０に送り返す（Ｓ２４）。
【００３８】
通知要求応答部１１６は、通知要求を示すL2CAP Echo Requestを受信すると（Ｓ２２：「通知要求」）、通知要求に応答したL2CAP Echo Responseを携帯電話機１０に対して送る（Ｓ２５）。
そして制御部１１８は、予め設定された通知手段、例えばＬＥＤランプ１０２を点滅させることで通知を実行する（Ｓ２６）。
【００３９】
図７には、携帯電話機１０（マスタ側）とＰＤＡ１００ａ〜１００ｄ（スレーブ側）との動作の流れを示すシーケンス図を示す。マスタからの接続確立要求（Ｓ１６）を受けたスレーブは、マスタとの間で接続を確立する（Ｓ２７）。
次に、ユーザインターフェイス側から見た具体的な動作例について説明する。以下ではユーザインターフェイスの側面を重点的に説明し既に述べた端末の内部的な動作については説明を省略することがある。
【００４０】
図８（ａ）〜（ｃ）、図９（ｄ）〜（ｆ）は、携帯電話機１０とＰＤＡ１００ｃとの間でBluetooth通信の接続を確立したいユーザが、携帯電話機１０周囲にあるスレーブを探索し、所望する接続を確立するまでの流れを示す図である。画面３０ａ〜３０ｅは携帯電話１０の画面の拡大図である。
まず、画面３０ａに示すように、携帯電話機１０はユーザの操作を受け付けてBluetooth機能を呼び出し、「(3)接続機器探索」の選択状態で「確定」ボタン３２の選択を受け付けることで、周囲にあるスレーブを探索する（図８（ａ））。
【００４１】
そして、携帯電話機１０は探索された４台のスレーブからニックネームを含む応答を取得し、画面３０ｂにあるように、取得した４個のニックネームを示す選択肢（１）〜（４）を一覧表示する（図８（ｂ））。
なお、この表示からは一見してわからないが、（１）〜（４）の選択肢は、アドレステーブル１９（図４）の、セル行の上から順の並びに一致しているものとして説明する。例えば、（１）の選択肢は、アドレス"aa:aa:aa:aa:aa:aa:aa"のＰＤＡ１００ａに対応している。
【００４２】
なお画面３０ｂにおいては、（１）〜（４）のいずれかの選択肢を選択した状態で「接続」ボタン３４を選ぶと、携帯電話機１０の無線通信部２０は選択されたニックネームに対応するスレーブに対して接続確立要求を送信する。
画面３０ｂで表示している４個のニックネームは全て同じ「Example-12」であるため、ユーザからすると画面３０ｂ内で表示された（１）〜（４）が実際にＰＤＡ１００ａ〜１００ｄのどれに対応するかがわからない状態である。
【００４３】
続いて、画面３０ｃに示すように、一覧表示したニックネームのうちの（１）の選択を受け付けると、携帯電話機１０の通知要求送信部２６は、バッファ１８内アドレステーブル１９の１行目を参照して、アドレス"aa:aa:aa:aa:aa:aa:aa"のＰＤＡ１００ａ宛に通知要求を送る。通知要求を受けたＰＤＡ１００ａの通知要求応答部１１６は、ＬＥＤランプを点滅させる（図８（ｃ））。
【００４４】
画面３０ｃでは、選択状態にある（１）の選択肢が太字で強調表示されているので、ＬＥＤランプが点滅しているＰＤＡ１００ａを視認できたユーザは、点滅したＰＤＡ１００ａが画面３０ｃの（１）の選択肢に対応していることを直感的に把握できる。
続いて、携帯電話機１０は、カーソルキーの下移動を２回受け付けると、画面３０ｄの（３）の選択肢を選択状態と表示変更し、携帯電話機１０の通知要求送信部２６は、バッファ１８内アドレステーブル１９の３行目を参照して、アドレス"cc:cc:cc:cc:cc:cc:"のＰＤＡ１００ｃ宛に通知要求を送り、ＬＥＤランプを点滅させる（図９（ｄ））。
【００４５】
ユーザは接続したいＰＤＡ１００ｃのＬＥＤランプが点滅したのを確認して、（３）の選択肢が選択状態のままで「接続」ボタン３４を選択する。選択を受け付けた携帯電話機１０の無線通信部２０は、（３）の選択肢に対応するＰＤＡ１００ｃに対して接続確立要求を送信する（図９（ｅ））
接続確立要求の送信の結果、ユーザは所望する携帯電話機１０とＰＤＡ１００ｃとの接続を確立できた（図９（ｆ））。
＜補足＞
以上、本発明の実施の形態について説明したが、本発明は上記の内容に限定されず、本発明の目的とそれに関連または付随する目的を達成するための各種形態においても実施可能であり、例えば、以下であってもよい
１．図５のステップＳ２４においては、通知要求応答部１１６がL2CAP Echo Responseにより応答するとして説明したが、この応答に自端末を識別するために参考になる情報（例えば、ユーザ名、端末の筐体の色など）を付加しても構わない。
【００４６】
例えば、ＰＤＡ１００ｃの筐体が青色である場合、L2CAP Echo Responseに"Blue"という文字情報を付加してマスタ側の携帯電話機１０に送信し、携帯電話機１０側では"Blue"の文字を付加情報としてバッファ１８内のアドレステーブル１９に格納して、表示に用いるとしてもよい。表示例を図１０に示す。図１０の携帯電話機１０の画面４０では、（３）の選択肢に、ＰＤＡ１００ｃから受信した"Blue"の文字が付加されている。このように、通知要求を送信したＰＤＡ１００ｃから得た情報を表示することでユーザの判断材料を増やすことができる。
【００４７】
L2CAP Echo Responseに情報を付加する場合には、L2CAP Echo Responseのオプションとして用意されたフィールドを利用することができる。ただこのフィールドの許容データサイズには限りがあるため、データサイズが大きい情報を付加する場合には複数回L2CAP Echo Request/ Responseをやりとりするとしてもよい。
２．実施の形態では、ＬＥＤランプの点滅により通知（報知）する例について説明したが、通知の方法（報知の方法）は、ユーザ（人間）の五感に働きかける態様であれば他の方法であっても構わない。具体的には、音声、振動または画面表示を利用しても通知してもよい。ＰＤＡ１００ｃのバイブレータ１０４の振動により通知（報知）する例を図１１（ａ）に示す。
【００４８】
図１１（ｂ）は画面表示による通知の例を示す図であり、ＰＤＡ１００ａのタッチディスプレイはダイアログ画面（確認要求画面）１３０を表示している。このダイアログ画面１３０内には通知要求を受信した旨を示すメッセージと共に、接続の可否を示す「ＯＫ」キー１３２，「ＮＯ」キー１３４がある。
ここで、ＰＤＡ１００ａが「ＮＯ」キー１３４を受け付けた場合には、ＰＤＡ１００ａから携帯電話機１０宛に接続確立が付加である旨を示す接続確立不可情報を送信する。接続確立不可情報を受信した携帯電話機１０は、画面５０に示すように、ＰＤＡ１００ａに対応する（１）の選択肢には取り消し線を装飾して選択不可の状態に変更する。なお（１）の選択肢を削除しても構わない。この構成によれば、ユーザが接続したい端末を段階的に絞り込むことを容易にできる。
３．携帯電話機１０において通知方法の指定を受け付けるとしても構わない。図１２に示すように、画面６０においては、通知方法に指定を示す「点滅」ボタン６２、「振動」ボタン６４、「表示」ボタン６６が表示されている。携帯電話機１０は、例えば（３）の選択肢が選択された状態で例えば「振動」ボタン６４の選択を受け付けると、（３）の選択肢に対応するＰＤＡ１００ｃ宛に「振動」により通知すべき旨を示す通知方法情報を含む通知要求を送信し、通知要求を受けたＰＤＡ１００ｃは振動により通知を行う。このようにすれば、ユーザ好みの通知方法による通知を実現できる。例えばＰＤＡ１００ｃが物陰に隠れた場所に置かれている場合など、点灯や画面表示ではユーザが気付きにくい状況下での通知に柔軟に対応することができる。
４．バリエーションの豊かな通知を行わせるために、通知方法に含ませる形で通知条件（例えば、ＬＥＤランプの点灯時間、点滅間隔、点灯色などの条件、あるいは振動の時間、振動パターン、振動の強さなどの条件、）をも指定した通知要求を送信しても構わない。また例えば、第１位は振動、第２位は点滅、というように優先順位を付けた通知要求を送信しても良い。
５．実施の形態では、ＰＤＡ１００ａ〜１００ｄの通知方法は同じであるとして説明したが、各スレーブ毎に通知方法を異ならせてもよい。すなわち、図１３に示すように、携帯電話機１０の画面７０内には、（赤）、（緑）、（黄）、（白）の選択肢が表示されている。各選択肢は点滅するＬＥＤの色を示しており、（赤）の選択肢が選択されると、対応するＰＤＡ１００ａは赤色光を点滅させる。この構成によれば、画面７０内に表示された（赤）、（緑）、（黄）、（白）の色と、現実に点滅するＬＥＤの色とを比較することで、画面７０内の各選択肢が現実にどの端末に対応しているを容易にユーザに知らせることができる。
【００４９】
特に、ＰＤＡ１００ａの赤色光の点滅に同期して、携帯電話機１０のＬＥＤも同様に赤色光に点滅させることで、ユーザは一目でペアリングしようとする一対の端末が確認できるようになる。
また、通知方法が異なる場合には、同時に通知しても不都合は少ないため、ユーザに通知すべき端末の選択を受け付けることはせずに通知させても構わない。図１４の例では、携帯電話機１０の画面８０には点滅するＬＥＤの色を表示し、同時に４台のＰＤＡ１００ａ〜１００ｄに各々色の異なるＬＥＤ光を同時に点滅させている。
６．実施の形態では、図８（ｂ）に示すように、画面３０ｂにニックネームを表示するとして説明したが、ニックネームに代えて他の情報を選択肢として表示させても構わない。
【００５０】
すなわち、選択肢として表示させる情報は、各端末（ＰＤＡ１００ａ〜１００ｄ）に対応する固有な情報（識別可能な情報）であればよく、例えば、アドレスのように各端末が固有かつ一意に有する情報であってもよいし、付加情報（図４）のように、アドレステーブル１９が各端末に対応付けて格納している情報であってもよい。また、文字列ではなくアイコンなど各端末を表すイメージを選択肢として表示させてもよい。
【００５１】
さらに、実施の形態では選択肢が４個の例で説明したが、１個の選択肢であってもよい。例えば、探索された端末の１台だけの場合には、探索された端末１台に対応する１個の選択肢だけを表示するようにしても構わない。
７．実施の形態では、携帯電話機１０から通知要求を送信する場合には、携帯電話機１０の画面に送り先のスレーブを表示するとして説明したが、画面表示しなくてもよい。
【００５２】
例えば、操作入力部１４を構成するテンキーの１から３の数字入力を受け付けるとそれぞれ対応する３台のスレーブ宛に通知要求を送信するとしても構わない。その際には、３台のスレーブに対してそれぞれ「イチ」「ニ」「サン」という音声合成の発音により通知すべき旨を示す通知方法情報を通知要求情報に含ませて送ることで、テンキーの１から３の数字と、３台のスレーブとの対応関係をユーザは判断することができる。
【産業上の利用可能性】
【００５３】
本発明に係る無線システムは、端末のペアリングに関するユーザインターフェイスを容易にでき有用である。
【図面の簡単な説明】
【００５４】
【図１】実施の形態に係る無線通信システム１の構成を示す図である。
【図２】携帯電話機１０の機能ブロック図である。
【図３】ＰＤＡ１００ａの機能ブロック図である。
【図４】アドレステーブル１９のデータ構造を示す図である。
【図５】携帯電話機１０（マスタ側）の動作を示すフローチャートである。
【図６】ＰＤＡ１００ａ〜１００ｄ（スレーブ側）の動作を示すフローチャートである。
【図７】携帯電話機１０（マスタ側）とＰＤＡ１００ａ〜１００ｄ（スレーブ側）との動作の流れを示すシーケンス図である。
【図８】携帯電話機１０とＰＤＡ１００ｃとの間の接続を確立するまでの流れを示す図である。
【図９】携帯電話機１０とＰＤＡ１００ｃとの間の接続を確立するまでの流れを示す図である。
【図１０】携帯電話機１０の画面４０を示す図である。
【図１１】（ａ）はＰＤＡ１００ｃの振動による通知を示し、（ｂ）はＰＤＡ１００ａの画面表示による通知と、携帯電話機１０の画面５０を示す図である。
【図１２】携帯電話機１０の画面６０を示す図である。
【図１３】携帯電話機１０の画面７０などを示す図である。
【図１４】携帯電話機１０の画面８０と、４台のＰＤＡ１００ａ〜１００ｄを示す図である。
【符号の説明】
【００５５】
１  無線通信システム
１０  携帯電話機（マスタ）
１４  操作入力部
１６  表示部
２０  無線通信部
２２  問い合わせ部
２４  名前取得部
２６  通知要求送信部
３０ａ〜３０ｅ，４０，５０，６０，７０，８０  携帯電話機の画面
１００ａ〜１００ｄ  ＰＤＡ（スレーブ）
１０２  ＬＥＤランプ
１０４  バイブレータ
１０６  操作入力部
１０８  表示部
１１０  無線通信部
１１２  問い合わせ応答部
１１４  名前取得応答部
１１６  通知要求応答部
１２０  スピーカ
【図１】
2010011064.tif 000003
【図２】
2010011064.tif 000004
【図３】
2010011064.tif 000005
【図４】
2010011064.tif 000006
【図５】
2010011064.tif 000007
【図６】
2010011064.tif 000008
【図７】
2010011064.tif 000009
【図８】
2010011064.tif 000010
【図９】
2010011064.tif 000011
【図１０】
2010011064.tif 000012
【図１１】
2010011064.tif 000013
【図１２】
2010011064.tif 000014
【図１３】
2010011064.tif 000015
【図１４】
2010011064.tif 000016